(57)【要約】【課題】ＩＲカットフィルタを取付ける際、ＩＲカットフィルタの周囲角部が欠けることを防止することができるカメラモジュールを提供すること。【解決手段】カメラモジュール１は、カメラモジュール１の外殻をなすハウジング２と、カメラモジュール１の光学系を構成するレンズユニット３と、レンズユニット３を収容するバレル４と、レンズユニット３の下方に配設されている板状のＩＲカットフィルタ８と、ＩＲカットフィルタ８の下方に配設されている撮像素子９とを有している。そして、ＩＲカットフィルタ８は、撮像素子９と対向するＩＲカットフィルタ８の底面８ｂ側の周囲角部にＣ面８ａが形成されていることを特徴としている。また、ハウジング２は、ＩＲカットフィルタ８のＣ面８ａの周囲に角部を有し、このハウジングの角部にはＣ面２ｂが形成されている。【選択図】図１
2007181044.tif 000002
【特許請求の範囲】
【請求項１】
カメラモジュールの外殻を成すハウジングと、
カメラモジュールの光学系を構成するレンズユニットと、
前記レンズユニットを収容するバレルと、
前記レンズユニットの下方に配設されている板状のＩＲカットフィルタと、
前記ＩＲカットフィルタの下方に配設されている撮像素子とを有し、
前記ＩＲカットフィルタは、前記撮像素子と対向する前記ＩＲカットフィルタの底面側の周囲角部にＣ面が形成されていることを特徴とするカメラモジュール。
【請求項２】
前記ハウジングは、前記ＩＲカットフィルタのＣ面の周囲に角部を有し、前記ハウジングの前記角部にはＣ面が形成されている請求項１記載のカメラモジュール。
【発明の詳細な説明】
【技術分野】
【０００１】
本発明はカメラモジュールに関し、特に自動車のバックモニタや携帯電話機等の電子機器に搭載される比較的小型のカメラモジュールに関する。
【背景技術】
【０００２】
電子機器に搭載される比較的小型のカメラモジュールには、その撮像素子としてＣＭＯＳセンサやＣＣＤセンサが使用されており、また、赤外線が撮像素子に入射しないようにＩＲカットフィルタが設けられている。図４は、このような従来のカメラモジュール１０１の断面図を示す。このカメラモジュール１０１は、カメラモジュール１０１の外殻を成すハウジング１０２と、カメラモジュール１０１の光学系を構成するレンズユニット１０３と、レンズユニット１０３を収容する合成樹脂製の円筒状のバレル１０４と、バレル１０４の内部においてレンズユニット１０３を固定する合成樹脂製のリング状のストッパ１０５と、レンズユニット１０３の下方に配設されている板状のＩＲカットフィルタ１０８と、ＩＲカットフィルタ１０８の下方に配設されている撮像素子１０９と、撮像素子１０９を支持している基板１１０とを備えている。
【０００３】
ＩＲカットフィルタ１０８は、熱線源からの赤外線を反射し可視光を透過する直方体状のガラス部材である。このＩＲカットフィルタ１０８は、ハウジング１０２の内部に形成されているＩＲカットフィルタ取付け枠部１０２ａに接着されている。
【０００４】
ＩＲカットフィルタ１０８の取付けは、ＩＲカットフィルタ１０８をピンセットにより摘み上げ、ＩＲカットフィルタ取付け枠部１０２ａに載置した後、接着剤によってＩＲカットフィルタ１０８の周囲をＩＲカットフィルタ取付け枠部１０２ａに接着する。
【０００５】
このようなカメラモジュールとしては、例えば、特許文献１に記載されているものがある。
【０００６】
【特許文献１】特開２００５−７２９７８
【発明の開示】
【発明が解決しようとする課題】
【０００７】
上記のカメラモジュール１０１のＩＲカットフィルタ１０８は、ＩＲカットフィルタ取付け枠部１０２ａに取付ける際に、ピンセットによって摘み上げるため、ＩＲカットフィルタ１０８の周囲角部１０８ａが僅かに欠ける場合がある。この欠けた小さなガラス片が塵埃となって撮像素子１０９の表面に付着すると、良好な画像を取得することができないという問題点がある。
【０００８】
特に、撮像素子１０９と対向するＩＲカットフィルタ１０８の底面１０８ｂの周囲角部１０８ａが欠けた場合には、撮像素子１０９の表面に落下しやすく、上記のような問題が発生しやすい。
【０００９】
本発明は上記問題点に鑑み、ＩＲカットフィルタを取付ける際、ＩＲカットフィルタの周囲角部が欠けることを防止することができるカメラモジュールを提供することを目的とする。
【課題を解決するための手段】
【００１０】
本発明に係るカメラモジュールは、カメラモジュールの外殻を成すハウジングと、カメラモジュールの光学系を構成するレンズユニットと、前記レンズユニットを収容するバレルと、前記レンズユニットの下方に配設されている板状のＩＲカットフィルタと、前記ＩＲカットフィルタの下方に配設されている撮像素子とを有し、前記ＩＲカットフィルタは、前記撮像素子と対向する前記ＩＲカットフィルタの底面側の周囲角部にＣ面が形成されていることを特徴とする。
【００１１】
本発明に係るカメラモジュールは、前記ハウジングが、前記ＩＲカットフィルタのＣ面の周囲に角部を有し、前記ハウジングの前記角部にはＣ面が形成されていることが好ましい。
【発明の効果】
【００１２】
請求項１記載の発明に係るカメラモジュールは、撮像素子と対向するＩＲカットフィルタの底面側の周囲角部にＣ面が形成されている。このため、ＩＲカットフィルタを取付ける際に、ＩＲカットフィルタをピンセットによって摘み上げても、ＩＲカットフィルタの周囲角部が欠けることを防止することができる。従って、ＩＲカットフィルタの周囲角部が欠けることによる塵埃の発生が防止され、撮像素子による良好な画像の取得を確保することができる。
【００１３】
請求項２記載の発明に係るカメラモジュールは、ハウジングはＩＲカットフィルタのＣ面の周囲に角部を有し、このハウジングの角部にはＣ面が形成されている。このため、ＩＲカットフィルタの底面側の周囲角部に形成したＣ面から出射した光線がハウジングの当該角部において反射することが防止される。従って、撮像素子に対するこのような反射光の影響を防止することができ、良好な画像の取得を確保することができる。
【発明を実施するための最良の形態】
【００１４】
以下、本発明に係る第１実施形態のカメラモジュール１について添付図面を参照しつつ詳細に説明する。図１は本実施形態のカメラモジュール１の断面図である。なお、本明細書において用いられている上及び下という文言は、カメラモジュールのバレル４が配設されている方向を上、また、基板１０が配設されている方向を下としている。
【００１５】
カメラモジュール１は、カメラモジュール１の外殻をなすハウジング２と、カメラモジュール１の光学系を構成するレンズユニット３と、レンズユニット３を収容するバレル４と、レンズユニット３の下方に配設されている板状のＩＲカットフィルタ８と、ＩＲカットフィルタ８の下方に配設されている撮像素子９とを有している。そして、ＩＲカットフィルタ８は、撮像素子９と対向するＩＲカットフィルタ８の底面８ｂ側の周囲角部にＣ面８ａが形成されていることを特徴としている。
【００１６】
ハウジング２は、合成樹脂製の直方体形状の部材であり、内部空間を有している。この内部空間には、後述するバレル４が収容されている。また、この内部空間の下方には、後述するＩＲカットフィルタ８を接着して取付けるためのＩＲカットフィルタ取付け枠部２ａが形成されている。また、ハウジング２は、後述するＩＲカットフィルタ８のＣ面８ａの周囲に角部を有し、このハウジングの角部にはＣ面２ｂが形成されている。
【００１７】
レンズユニット３は、後述するバレル４の内部空間内に収容されており、カメラモジュール１の光学系を構成している。
【００１８】
バレル４は、合成樹脂製の円筒状部材であり、内部空間を有している。この内部空間の上方においてレンズユニット３を収容し、この内部空間の下方において後述するストッパ５を収容している。
【００１９】
ストッパ５は、合成樹脂製のリング状部材である。このストッパ５は、バレル４の内部空間下方に収容されており、ストッパ５の上面がレンズユニット３の底面と密接することにより、レンズユニット３をバレル４内に支持している。
【００２０】
ＩＲカットフィルタ８は、熱線源からの赤外線を反射し可視光を透過する直方体状のガラス部材である。そして、ＩＲカットフィルタ８は、図１及び図２に示すように、撮像素子９と対向するＩＲカットフィルタ８の底面８ｂ側の周囲角部にＣ面８ａが形成されている。
【００２１】
ＩＲカットフィルタ８は、図３（ａ）及び（ｂ）に示すように、材料となる一枚の赤外線反射ガラス８０を切断することによって製造される。この製造工程は、図３（ａ）に示すように、最初に赤外線反射ガラス８０の底面の切断予定部分を切削しＶ字型の溝８０ａを形成する。次に、図３（ｂ）に示すように、このＶ字型の溝８０ａを切断すると、各ＩＲカットフィルタ８の底面８ｂの周囲角部にＣ面８ａが形成される。
【００２２】
ＩＲカットフィルタ８は、ハウジング２の内部に形成されているＩＲカットフィルタ取付け枠部２ａに接着されている。このＩＲカットフィルタ８の取付けは、ＩＲカットフィルタ８をピンセットにより摘み上げ、ＩＲカットフィルタ取付け枠部２ａに載置した後、接着剤によってＩＲカットフィルタ８の周囲をＩＲカットフィルタ取付け枠部２ａに接着する。
【００２３】
なお、符号９はＩＲカットフィルタ８の下方に配設されている撮像素子を示し、この撮像素子９は基板１０に取付けられている。
【００２４】
以下、本実施形態の作用効果を説明する。本実施形態のカメラモジュール１においては、撮像素子９と対向するＩＲカットフィルタ８の底面８ｂ側の周囲角部にＣ面８ａが形成されている。このため、ＩＲカットフィルタ取付け枠部２ａに取付ける際に、ＩＲカットフィルタ８をピンセットによって摘み上げても、ＩＲカットフィルタ８の周囲角部が欠けることを防止することができる。従って、ＩＲカットフィルタ８の周囲角部が欠けることによって生じる塵埃の発生が防止され、撮像素子１０９による良好な画像の取得を確保することができる。
【００２５】
さらに、本実施形態のカメラモジュール１においては、ハウジング２はＩＲカットフィルタ８のＣ面８ａの周囲に角部を有し、このハウジング２の角部にはＣ面２ｂが形成されている。このため、ＩＲカットフィルタ８の底面８ｂ側の周囲角部に形成したＣ面８ａから出射した光線が、Ｃ面８ａ周囲のハウジング２の角部において反射することが防止される。従って、撮像素子９に対するこのような反射光の影響を防止することができ、良好な画像の取得を確保することができる。
【図面の簡単な説明】
【００２６】
【図１】本発明に係る実施形態のカメラモジュール１の断面図である。
【図２】図１に示すカメラモジュール１のＩＲカットフィルタ８を示す斜視図である。
【図３】図１に示すカメラモジュール１のＩＲカットフィルタ８の製造工程を示す断面説明図である。図３（ａ）は、複数のＩＲカットフィルタの材料となる一枚の赤外線反射ガラス８０の切断前の状態を示しており、図３（ｂ）は、その切断後を示している。
【図４】公知のカメラモジュール１０１の断面図である。
【符号の説明】
【００２７】
１、１０１  カメラモジュール
２、１０２  ハウジング
２ａ、１０２ａ  ＩＲカットフィルタ取付け枠部
２ｂ  Ｃ面
３、１０３  レンズユニット
４、１０４  バレル
５、１０５  ストッパ
８、１０８  ＩＲカットフィルタ
８ａ  Ｃ面
８ｂ、１０８ｂ  底面
９、１０９  撮像素子
１０、１１０  基板
８０  赤外線反射ガラス
８０ａ  Ｖ字型の溝
１０８ａ  周囲角部
【図１】
2007181044.tif 000003
【図２】
2007181044.tif 000004
【図３】
2007181044.tif 000005
【図４】
2007181044.tif 000006